(57)【要約】【課題】製造を容易に行うことができるとともに、ネット片の突合せ部をなくして収容機能を向上することができ、再利用することもできるネット容器を提供する。【解決手段】ネット素材１２を所定形状に裁断して、箱用の一枚の原形ネット１３を形成する。この原形ネット１３の本体ネット１５を形成する第１〜第４側面部１８〜２１の境界に屈曲許容部２３を形成する。本体ネット１５の下部に底部ネット１６を構成する第１〜第４底部片２５〜２８を一体に形成する。本体ネット１５の上部に蓋部ネット１７を構成する第１〜第４蓋部片３１〜３４を一体に形成する。前記第１側面部１８に形成された連結代２２と第４側面部２１とを熱溶着により連結する。【選択図】図１
2008265778.tif 000002
【特許請求の範囲】
【請求項１】
樹脂製のネット素材を所定形状に裁断して一枚の容器用の本体ネットを形成し、該本体ネットの両端縁を連結し、該本体ネットを折り畳み状態から筒状に組み立て可能に形成し、該本体ネットの下端開口を閉鎖する底部を設けたことを特徴とするネット容器。
【請求項２】
請求項１において、前記本体ネットの下端縁には底部ネットが一体に連結されていることを特徴とするネット容器。
【請求項３】
請求項２において、前記本体ネットは四角筒状に形成可能に、かつ折りたたみ可能に構成され、該本体ネットの下端縁には、前記底部ネットを形成可能な複数枚の底部片がそれぞれ一体に連結され、前記本体ネット及び底部ネットは、ネット素材から一枚の原形ネットとして裁断されたものであることを特徴とするネット容器。
【請求項４】
請求項１〜３のいずれか一項において、前記本体ネットの上端縁には蓋部ネットが一体に連結されていることを特徴とするネット容器。
【請求項５】
請求項４において、前記本体ネットは四角筒状に形成可能に、かつ折りたたみ可能に構成され、該本体ネットの上端縁には、前記蓋部ネットを形成可能な複数枚の蓋部片がそれぞれ一体に連結され、前記本体ネット、底部ネット及び蓋部ネットは、ネット素材から一枚の原形ネットとして裁断されたものであることを特徴とするネット容器。
【請求項６】
請求項２〜５のいずれか一項において、前記本体ネット、底部ネット及び蓋部ネットのうち少なくとも本体ネット及び底部ネットにより構成されたネット容器は、別途用意された箱の内部又は外部に脱着可能に構成されていることを特徴とするネット容器。
【請求項７】
請求項２〜６のいずれか一項において、前記本体ネット、底部ネット及び蓋部ネットのうち少なくとも本体ネット及び底部ネットを構成する素線の外周面には、前記ネットの表面及び裏面の少なくとも一方の面から突出する突部が一体に形成されていることを特徴とするネット容器。
【発明の詳細な説明】
【技術分野】
【０００１】
本発明は、樹脂製のネット素材よりなるネット容器に関する。
【背景技術】
【０００２】
例えば、実験動物のマウスを運搬する際には、例えば段ボール製の収容箱が用いられる。段ボールのみでは、マウスが段ボール自体を齧って孔を開けたり、その孔から逃げ出したりするので、収容箱の六つの内側面に対し、ネット（プラスチック網）片がホットメルトによりそれぞれ固定されている。
【０００３】
又、一枚の四角形状の底部ネットの四つの端縁に、四枚の側部ネットの端縁を結束バンドによりそれぞれ連結するとともに、各側部ネットの端縁を結束バンドにより連結して、有底四角箱状の内張りネットを形成し、この内張りネットを金属製のコンテナの内部に収容し、このコンテナに各種の物品を収容する構成も提案されている。
【０００４】
さらに、前記側部ネットの外側を不織布シートや布あるいは樹脂シート（以下単に不織布シート等という）で遮蔽する際には、側部ネットと不織布シート等とを工業用ミシンで縫着したり、側部ネットを構成する素線を加熱して該素線を融かして素線を不織布シート等に溶着したりしている。
【０００５】
特許文献１に記載された農産物輸送用フレキシブルメッシュ容器は、天部開放箱型容器の四角形の底面部の二辺に対し、四つの側面部のうち二つの側面部を折り目により連結するとともに、底面部の他の二辺に対し、二つの側面部を縫合部により連結し、前記底面部と側面部を折りたたみ可能に構成している。
【特許文献１】実用新案登録第３１１９７９９号公報
【発明の開示】
【発明が解決しようとする課題】
【０００６】
ところが、上記従来のネット片をホットメルトにより段ボール箱の内側面に接着する構成は、収容箱の製造が非常に面倒であるばかりでなく、各ネット片間に連結されない突合せ部ができ、この突合せ部に隙間が生じ易く、この隙間から段ボール箱の内部に収容したマウスが段ボール箱を齧って孔を開けたり、この孔からマウスが逃げ出したりするので、物品の収容機能が低下するという問題があった。又、上記の構成は、段ボール箱に各ネット片が接着されているので、各ネット片を再利用することができないという問題もあった。
【０００７】
一方、前述したコンテナ用の内張りネットは、底部ネットと各側部ネット及び各側部ネットを結束バンドによりそれぞれ連結しなければならないので、製造が非常に面倒であるばかりでなく、各ネットの突合せ端縁の結束バンドがない部分に隙間が生じ易く、上述した問題と同様に物品の収容機能が低下する虞があった。
【０００８】
又、特許文献１に記載のフレキシブルメッシュ容器は、底面部と側面部とを縫合部により連結するので、容器の製造が面倒であるという問題があった。
さらに、前記側部ネットと不織布シート等とを工業用ミシンで縫着する作業は、製造が非常に面倒であるばかりでなく、不織布シート等が劣化した場合に、縫い目以外の不織布シート等は風で振動するので、不織布シート等が破損し易いという問題があった。又、側部ネットを構成する素線を加熱して該素線を融かして素線を不織布シート等に溶着する作業は、上述のミシンによる縫着作業と比較して製造が容易である反面、横断面が円形の素線の一部が融けるまでの加熱時間が長くなるので、不織布シート等が過加熱により溶けたり、熱により劣化してその通気性や透水性等の機能を低下させたりするという別の問題があった。
【０００９】
本発明の主たる目的は、上記従来の問題点を解消して、製造を容易に行うことができるとともに、ネット片の突合せ部をなくして物品の収容機能を向上することができ、再利用することもできるネット容器を提供することにある。
【００１０】
本発明の別の目的は、上記の目的に加えて、ネットの素線と不織布シートや布あるいは樹脂シートとを素線を加熱して融着する際に、加熱時間を短くして不織布シートや布あるいは樹脂シートの品質が低下するのを防止することができるネット容器を提供することにある。
【課題を解決するための手段】
【００１１】
上記問題点を解決するために、請求項１に記載の発明は、樹脂製のネット素材を所定形状に裁断して一枚の容器用の本体ネットを形成し、該本体ネットの両端縁を連結し、該本体ネットを折り畳み状態から筒状に組み立て可能に形成し、該本体ネットの下端開口を閉鎖する底部を設けたことを要旨とする。
【００１２】
請求項２に記載の発明は、請求項１において、前記本体ネットの下端縁には底部ネットが一体に連結されていることを要旨とする。
請求項３に記載の発明は、請求項２において、前記本体ネットは四角筒状に形成可能に、かつ折りたたみ可能に構成され、該本体ネットの下端縁には、前記底部ネットを形成可能な複数枚の底部片がそれぞれ一体に連結され、前記本体ネット及び底部ネットは、ネット素材から一枚の原形ネットとして裁断されたものであることを要旨とする。
【００１３】
請求項４に記載の発明は、請求項１〜３のいずれか一項において、前記本体ネットの上端縁には蓋部ネットが一体に連結されていることを要旨とする。
請求項５に記載の発明は、請求項４において、前記本体ネットは四角筒状に形成可能に、かつ折りたたみ可能に構成され、該本体ネットの上端縁には、前記蓋部ネットを形成可能な複数枚の蓋部片がそれぞれ一体に連結され、前記本体ネット、底部ネット及び蓋部ネットは、ネット素材から一枚の原形ネットとして裁断されたものであることを要旨とする。
【００１４】
請求項６に記載の発明は、請求項２〜５のいずれか一項において、前記本体ネット、底部ネット及び蓋部ネットのうち少なくとも本体ネット及び底部ネットにより構成されたネット容器は、別途用意された箱の内部又は外部に脱着可能に構成されていることを要旨とする。
【００１５】
請求項７に記載の発明は、請求項２〜６のいずれか一項において、前記本体ネット、底部ネット及び蓋部ネットのうち少なくとも本体ネット及び底部ネットを構成する素線の外周面には、前記ネットの表面及び裏面の少なくとも一方の面から突出する突部が一体に形成されていることを要旨とする。
【００１６】
（作用）
請求項１〜６のいずれか一項に記載の発明は、樹脂製のネット素材を所定形状に裁断して一枚の本体ネットを形成し、該本体ネットを折りたたみ状態から立体的に組み立て可能に形成したので、製造を容易に行うことができる。又、本体ネットが一体に形成されているので、ネット片の突合せ部や継目をなくして物品の収容機能を向上することができる。
【発明の効果】
【００１７】
請求項１〜６のいずれか一項に記載の本発明によれば、製造を容易に行うことができるとともに、ネット片の突合せ部や継目をなくして物品の収容機能を向上することができ、再利用することもできる。
【００１８】
請求項７に記載の発明によれば、上記の効果に加えて、ネット素材の素線と不織布シートや布あるいは樹脂シートとを加熱により接合する際に、熔融し易い突部のみを加熱して不織布シートや布あるいは樹脂シートと融着すればよい。このため、不織布シートや布あるいは樹脂シートが高温に晒される時間が短縮され、それらの熱劣化による品質の低下を防止することができる。
【発明を実施するための最良の形態】
【００１９】
以下、本発明を実験動物のマウスの運搬用のネット容器に具体化した一実施形態を図１〜図６に従って説明する。
ネット容器１１は図５に示すように四角筒状の本体ネット１５と、本体ネット１５の下端開口部を遮蔽可能な底部ネット１６と、本体ネット１５の上端開口部を遮蔽可能な蓋部ネット１７とにより密閉四角箱状に形成されている。このネット容器１１の製造方法について以下に説明する。
【００２０】
図１に示すように、ネット素材１２を図示しない裁断装置を用いて裁断し、一枚の所定形状の原形ネット１３を製造する。前記ネット素材１２は図６に示すように、複数本の素線１４を菱形目状に一体に溶着して形成されている。このネット素材１２の網目の大きさ、即ち、素線１４の縦、横の寸法ａ，ｂは、それぞれ１〜２０ｍｍの範囲において、例えば５ｍｍの同じ寸法に設定され、素線１４の径寸法は、例えば１〜３ｍｍの範囲において、例えば１ｍｍに設定され、ネット素材１２が所定の開孔率３０〜８０％の範囲において、例えば６０％となるように設定されている。なお、図１〜図５においては、原形ネット１３は全てネット素材１２で構成されているが、その一部のみをネット状に図示し、他の部分は省略している。
【００２１】
前記原形ネット１３は、図１に示すように、展開状態の本体ネット１５と、この本体ネット１５の下部に一体形成された底部ネット１６と、本体ネット１５の上部に一体形成された蓋部ネット１７とにより構成されている。前記本体ネット１５は、四角形状をなす第１〜第４側面部１８〜２１と、前記第１側面部１８の端縁に一体に連結された連結代２２とにより形成されている。前記連結代２２、第１〜第４側面部１８〜２１の境界部には、屈曲許容部２３〜２３が互いに平行に、かつ上下方向に形成されている。この屈曲許容部２３及び後述する屈曲許容部２９，３５は、ネット素材１２の横断面が円形状の複数の素線１４を加熱して、それらの横断面を扁平状にすることにより形成されているが、各図において破線で簡略表示している。
【００２２】
前記本体ネット１５は、図２に示すように、第１〜第４側面部１８〜２１を前記屈曲許容部２３〜２３を中心に屈曲させて四角筒状にするとともに、前記第１側面部１８の内側に前記連結代２２を接触する。この状態で、図示しない加熱融着装置を用いて連結代２２の上下二箇所で加熱してネット素材１２の素線１４を融かして溶着し、この二箇所の溶着部２４により前記第１側面部１８と第４側面部２１とを連結している。この本体ネット１５は図２に示す四角筒状の状態から前記各屈曲許容部２３を中心に各第１〜第４側面部１８〜２１を屈曲・展開させることにより扁平状に折り畳み可能に形成されている。
【００２３】
次に、前記底部ネット１６について説明する。
この底部ネット１６は、図１に示すように、第１〜第４側面部１８〜２１の下端縁に対しそれぞれ一体に形成された第１〜第４底部片２５〜２８によって構成されている。各第１〜第４側面部１８〜２１と、第１〜第４底部片２５〜２８との境界には、屈曲許容部２９〜２９が形成されている。前記第１底部片２５の先端部両側には、第１係止片２５ａ及び第２係止片２５ｂが一体に突出形成され、両係止片２５ａ，２５ｂの内側に直角状の第１係止凹部２５ｃ及び第２係止凹部２５ｄが形成されている。前記第２底部片２６及び第３底部片２７には、Ｖ字状の第１切欠部２６ａ及び第２切欠部２７ａが形成されている。前記第１切欠部２６ａの下部には、第１底部片２５の第１係止凹部２５ｃに係止される第１被係止片２６ｂが形成されている。同様に、第２切欠部２７ａの下部には、前記第１底部片２５の第２係止凹部２５ｄに係止される第２被係止片２７ｂが一体に形成されている。図１に示すように、前記第４底部片２８の先端部には、幅狭の係止舌片２８ａが一体に形成されている。
【００２４】
次に、図１により前記蓋部ネット１７について説明する。
この蓋部ネット１７は、前記第１〜第４側面部１８〜２１の上端部に一体に形成された第１〜第４蓋部片３１〜３４により構成されている。第１及び第２蓋部片３１，３２は台形状に形成され、第３及び第４蓋部片３３，３４は山形状に形成され、それらの上部にはスリット状の第１掛止部３３ａ及び第２掛止部３４ａが形成されている。各第１〜第４側面部１８〜２１と、第１〜第４蓋部片３１〜３４との境界には、屈曲許容部３５〜３５がそれぞれ形成されている。
【００２５】
次に、前記第１〜第４底部片２５〜２８を組み合わせて、本体ネット１５の下端開口を閉鎖する底部ネット１６を形成する方法について説明する。
最初に、図３に示すように前記第１底部片２５を前記屈曲許容部２９を中心に前記本体ネット１５の下端開口を閉鎖する側に水平に屈曲した状態で、第２底部片２６を屈曲許容部２９を中心に水平に折り曲げる。そして、該第２底部片２６の第１被係止片２６ｂの先端部を第１底部片２５の第１係止凹部２５ｃから上方に弾性変形させて挿入し、第１底部片２５の上面に前記第１被係止片２６ｂの先端部を係止させる。同様に、第３底部片２７を屈曲許容部２９を中心に水平に折り曲げる。そして、第３底部片２７の第２被係止片２７ｂを第１底部片２５の第２係止凹部２５ｄから上方に弾性変形させて挿入し、第１底部片２５の上面に前記第２被係止片２７ｂの先端部を係止させる。さらに、図３において、第４底部片２８を屈曲許容部２９を中心に水平に折り曲げる。そして、前記係止舌片２８ａを図４に示すように、第１底部片２５の上面と、前記第１被係止片２６ｂ及び第２被係止片２７ｂの先端部下面との間の隙間に挿入係止することにより底部ネット１６が形成される。
【００２６】
次に、前記第１〜第４蓋部片３１〜３４を組み合わせて、本体ネット１５の上端開口を閉鎖する蓋部ネット１７を形成する方法について説明する。
図４において、第１及び第２蓋部片３１，３２を屈曲許容部３５を中心にほぼ９０°屈曲して両第１及び第２蓋部片３１，３２の先端部を図５に示すように互いに重ね合わせる。次に、第３及び第４蓋部片３３，３４を屈曲許容部３５を中心にほぼ９０°屈曲して、両蓋部片３３，３４の先端部を重ね合わせるとともに、第１掛止部３３ａと第２掛止部３４ａを互いに掛止させることにより蓋部ネット１７が形成される。
【００２７】
図５に示すように組み立てられたネット容器１１の内部には、実験動物のマウスが収容される。このネット容器１１は、図示しないが、確認用の窓を有する四角箱状の段ボール箱の内部に収容されて、該段ボール箱とともに目的の場所に運搬される。
【００２８】
運搬に供された段ボール箱は、使い捨てとなるが、ネット容器１１は、図５に示す組み合わせ状態から前述した手順と逆の手順により図２に示す状態となり、さらに図示しないが扁平状に折り畳まれて、保管された後、再使用される。
【００２９】
上記実施形態のネット容器１１によれば、以下のような効果を得ることができる。
（１）上記実施形態では、ネット素材１２から原形ネット１３を裁断形成し、この原形ネット１３の第１側面部１８に形成した連結代２２と第４側面部２１とを溶着部２４により連結してネット容器１１を構成したので、ネット容器１１の製造を容易に行うことができる。
【００３０】
（２）上記実施形態では、第１〜第４側面部１８〜２１、第１〜第４底部片２５〜２８及び第１〜第４蓋部片３１〜３４の境界部が一体に連結されているので、ネット片の突合せ部や継目が無くなり、ネット容器１１の内部に収容したマウスによって段ボール箱が齧られて、段ボール箱が損傷されたり、開けられた孔からマウスが逃げ出したりするのが防止され、収容機能を向上することができる。
【００３１】
（３）上記実施形態では、ネット容器１１を構成するネット素材１２の素線１４が図６に示すように斜交して菱形状の網目を形成しているので、下方向及び水平方向に外力が作用したときに、素線１４が変形し易くなる。このため、第１〜第４底部片２５〜２８及び第１〜第４蓋部片３１〜３４が任意の方向に弾性変形し易くなり、底部ネット１６及び蓋部ネット１７の組み合わせや組み合わせの解除作業を容易に行うことができる。
【００３２】
（４）上記実施形態では、屈曲許容部２３〜２３により前記第１〜第４側面部１８〜２１が屈曲可能に形成され、屈曲許容部２９により前記第１〜第４側面部１８〜２１と第１〜第４底部片２５〜２８が屈曲可能に形成され、さらに屈曲許容部３５により前記第１〜第４側面部１８〜２１と第１〜第４蓋部片３１〜３４が屈曲可能に形成されている。このため、ネット容器１１の不使用時には、ネット容器１１を扁平状に折り畳んでコンパクト化することができるとともに、ネット容器１１を組み立てて再利用することもできる。
【００３３】
次に、この発明の別の実施形態を図７〜図９に基づいて説明する。
この実施形態では、前述したネット容器１１（第１側面部１８の一部のみ図示）の外側面に対し、遮蔽用の不織布シート４１を加熱溶着したものである。第１側面部１８を形成する素線１４の外周面には、加熱溶着前において図８に示すように、突部としての突条１４ａが一体に形成されている。この突条１４ａは素線１４の全長に形成されている。そして、第１側面部１８と素線１４を図９に示すように加熱溶着すると、前記突条１４ａのみが溶解され、この溶解部が溶着部１４ｂとなって素線１４と第１側面部１８が連結される。
【００３４】
上記の実施形態では、素線１４に突条１４ａが設けられているので、突条１４ａのない素線１４を溶解するのに必要な加熱時間と比較して、突条１４ａを溶解する加熱時間が低くなる。このため、素線１４及び不織布シート４１が長時間にわたって高温に晒されるのを回避して、素線１４及び不織布シート４１の品質が熱劣化により低下するのを防止することができる。
【００３５】
なお、上記実施形態は以下のように変更してもよい。
・図１０に示すように、ネット容器１１の蓋部ネット１７を省略してもよい。又、前記本体ネット１５の内側の四つの隅部に対し、例えば樹脂或いは金属製のアングル状の補強バー４２を実線で示すように連結するようにしてもよい。又、図示しないが、棒材あるいはアングル材により立方体状に形成された補強用の枠体の外側に該枠体を覆うように前記ネット容器１１を装着するようにしてもよい。これらの場合には、ネット容器１１の剛性を向上することができる。
【００３６】
・図１０に鎖線で示すように、本体ネット１５の外側の四つの隅部に補強バー４２を連結するとともに、各補強バー４２の上端部を本体ネット１５から上方に突出するようにしてもよい。この場合には、複数の本体ネット１５を上下方向に容易に積み上げることができる。
【００３７】
・図１１に示すように、ネット容器１１の内部に段ボール箱４３を収容するようにしてもよい。
・図１２に示すように、確認窓４４を有する段ボール箱４３の内部にネット容器１１を収容するようにしてもよい。
【００３８】
・図１３に示すように、ネット容器１１を本体ネット１５のみとし、本体ネット１５の下端開口部を段ボール又は金属製の下蓋４５により閉鎖し、本体ネット１５の上端開口を段ボール又は金属製の上蓋４６により閉鎖するようにしてもよい。又、この実施形態において、前記本体ネット１５に底部ネット１６を設けたものを用いたり、蓋部ネット１７を設けたものを用いたりしてもよい。
【００３９】
・図１４に示すように、ネット容器１１を構成する前記本体ネット１５、底部ネット１６及び蓋部ネット１７をそれぞれ別体で形成し、ネット素材１２の網目の形状を正方形にしてもよい。この場合には、例えば図示しない段ボール箱の底部に底部ネット１６を収容した後、本体ネット１５を収容し、本体ネット１５の内部に物品を収容し、次に、物品の上面に蓋部ネット１７を載せ、段ボール箱の蓋板を蓋部ネット１７の上面に載せて閉鎖する。前記蓋部ネット１７を省略してもよい。
【００４０】
この明細書においては、前記本体ネット１５と、該本体ネット１５に対し一体又は別体に形成された底部ネット１６をネット容器に含めるものとする。
・図１５に示すように、本体ネット１５の第３側面部２０に対し、一枚のシート状の底部ネット１６を一体に連結し、底部ネット１６の端縁に一体に形成された連結代２２を第１側面部１８に溶着部により連結し、ネット素材１２の目の形状を正方形にしてもよい。又、図１５に二点鎖線で示すように、一枚の蓋部ネット１７を第３側面部２０の上端縁に一体に形成してもよい。
【００４１】
・前記原形ネット１３の裁断形状を、例えば、図１６、図１７及び図１８に示すように変更してもよい。これ以外に各種形状の原形ネット１３を用いてもよい。
・図１〜図６に示す実施形態において、図示しないが、ネット素材１２として網目が菱形ではなく、碁盤目状に縦横に一体に連結されたものを用いてもよい。この場合には、前述した実施形態のように菱形の網目のネット素材１２を用いる構成と比較して、ネット容器１１に上下方向及び水平方向の外力が作用した場合に、素線１４の伸縮が抑制され、ネット容器１１の変形が抑制され、その剛性を向上することができる。
【００４２】
・図７〜図９に示す実施形態において、第１側面部１８を構成する素線１４の突条１４ａがネット容器１１の内側に位置するように構成し、不織布シート４１をネット容器１１の内側に加熱溶着するようにしてもよい。
【００４３】
・図７〜図９に示す実施形態において、ネット素材１２の素線１４に対し突条１４ａに代えて、突起を多数箇所に一体に形成してもよい。又、突条１４ａ又は突起をネット素材１２の表面及び裏面にそれぞれ形成してもよい。この場合には、ネット素材１２の表裏両面に不織布シートを適正に溶着することができる。
【００４４】
・図７〜図９に示す実施形態において、前記不織布シート４１に代えて、樹脂シートや布を用いてもよい。
・図１〜図６に示す実施形態において、ネット素材１２の素線１４に突条１４ａを設け、ネット容器１１の内面又は外面に不織布シートを加熱溶着してもよい。同様にして、図１０〜図１８に示す実施形態において、ネット素材１２の表面又は裏面に不織布シートを加熱溶着してもよい。
【００４５】
・前記実施形態では、ネット素材１２の網目の形状を横長の菱形又は正方形にしたが、三角形、縦長の菱形、横長の長方形、縦長の長方形、五角形、六角形、七角形、八角形あるいはその他の形状にしてもよい。
【００４６】
・前記補強バー４２を用いていない各実施形態において、補強バー４２をそれぞれ用いてもよい。
・前記本体ネット１５を三角筒状にしたり、五角筒状にしたり、六角筒状以上の多角筒状にしたり、円筒状にしたり、あるいは楕円筒状にしたりしてもよい。
【００４７】
・前記本体ネット１５、底部ネット１６及び蓋部ネット１７のうち少なくとも本体ネット１５及び底部ネット１６により構成されたネット容器を、別途用意された例えは段ボール等よりなる箱の内部又は外部に脱着可能に構成してもよい。
【００４８】
・前記本体ネット１５、底部ネット１６及び蓋部ネット１７のうち少なくとも本体ネット１５及び底部ネット１６を構成する素線１４の外周面に対し、前記ネットの表面及び裏面の少なくとも一方の面から突出する突部を一体に形成してもよい。
【００４９】
・動植物の運搬用のネット容器として具体化したり、通気性の必要な例えば野菜等の運搬用のネット容器として具体化したりしてもよい。
・金属製コンテナの内張り用のネット容器として具体化したり、水分により強度が低下する段ボール箱の内張り用のネット容器として具体化したりしてもよい。
【００５０】
・内容物の確認可能な運搬用のネット容器として具体化したり、収容された物品の水切り用のネット容器として具体化したりしてもよい。
・一斗缶やペール缶等の容器の保護用のネット容器、通気性のある衣類収納用のネット容器、容器に収容されたドライアイスを保護するネット容器、植物の育成用の鉢を外部から保護するネット容器或いは濾過材の収容用のネット容器として具体化してもよい。
【００５１】
・ネット容器を地下貯水槽の遮水シートの内面に沿うように配設して該遮水シートを保護するために用いたり、土留用の砂利や小石あるいはその他の材料を収容するネット容器として用いたり、微生物担体用のネット容器として用いたりしてもよい。
【図面の簡単な説明】
【００５２】
【図１】この発明を具体化したネット容器を構成する原形ネットの展開平面図。
【図２】ネット容器の底部ネット及び蓋部ネットを開放した状態を示す斜視図。
【図３】ネット容器の底部ネットの組み付け方法を説明する斜視図。
【図４】ネット容器の底部ネットの組み付け方法を説明する斜視図。
【図５】ネット容器の蓋部ネットの組み付け方法を説明する斜視図。
【図６】ネット素材の部分斜視図。
【図７】この発明の別の実施形態のネット容器のネット素材及び不織布シートを示す部分斜視図。
【図８】図７示すネット素材の素線と不織布シートとの加熱溶着前の部分拡大断面図。
【図９】図８に示す素線と不織布シートの加熱溶着状態を示す部分拡大断面図。
【図１０】この発明の別の実施形態を示すネット容器の斜視図。
【図１１】この発明の別の実施形態を示すネット容器及び段ボール箱の略体斜視図。
【図１２】この発明の別の実施形態を示す段ボール箱及びネット容器の斜視図。
【図１３】この発明の別の実施形態を示すネット容器、下蓋及び上蓋の斜視図。
【図１４】この発明の別の実施形態を示すネット容器の斜視図。
【図１５】この発明の別の実施形態を示すネット容器の斜視図。
【図１６】この発明の別の実施形態を示すネット容器の原形ネットの展開平面図。
【図１７】この発明の別の実施形態を示すネット容器の原形ネットの展開平面図。
【図１８】この発明の別の実施形態を示すネット容器の原形ネットの展開平面図。
【符号の説明】
【００５３】
１１…ネット容器、１２…ネット素材、１３…原形ネット、１４…素線、１５…本体ネット、１６…底部ネット、１７…蓋部ネット、３３，３４…蓋部片。
【図１】
2008265778.tif 000003
【図２】
2008265778.tif 000004
【図３】
2008265778.tif 000005
【図４】
2008265778.tif 000006
【図５】
2008265778.tif 000007
【図６】
2008265778.tif 000008
【図７】
2008265778.tif 000009
【図８】
2008265778.tif 000010
【図９】
2008265778.tif 000011
【図１０】
2008265778.tif 000012
【図１１】
2008265778.tif 000013
【図１２】
2008265778.tif 000014
【図１３】
2008265778.tif 000015
【図１４】
2008265778.tif 000016
【図１５】
2008265778.tif 000017
【図１６】
2008265778.tif 000018
【図１７】
2008265778.tif 000019
【図１８】
2008265778.tif 000020